(57)【要約】  シート（４）は、フレーム（８）と該フレーム（８）に接続可能なシート部（１２）とを有し、これらシート部（１２）とフレーム（８）とが互いに個別に作られていて、第一のカップリング手段（２４）を介在させることにより互いに取外し自在に接続されるように構成されている。第一のカップリング手段（２４）は、互いにスナップカップリングを構成することの可能な少なくとも一つの弾性フック（２８）と突起（３２）とを含み、弾性フック（２８）は、上下組立て方向（Ｙ−Ｙ）で突起（３２）を捕捉するように配置されている。弾性フック（２８）は、カップリング端部（３６）と、上下組立て方向（Ｙ−Ｙ）で突起（３２）のアンダーカット（４４）にスナップフックされるようにカップリング端部（３６）との関係で可撓性を有するフック端部（４０）を有している。
2013531998.tif 000002
【特許請求の範囲】
【請求項１】
座面（１８）を有するシート部（１２）と、
前記シート部（１２）を支持することが可能で、脚部のような少なくとも一つの支持手段（１６）を備えたフレーム（８）を有し、
前記シート部（１２）と前記フレーム（８）とが互いに個別に作られていて、少なくとも一つの第一のカップリング手段（２４）を介在させることにより互いに取外し自在に接続されるように構成されているシート（４）において、
前記第一のカップリング手段（２４）が、互いにスナップカップリングを達成することの可能な少なくとも一つの弾性フック（２８）と突起（３２）とを含み、
前記弾性フック（２８）が、前記座面（１８）に対して略直交する上下組立方向（Ｙ−Ｙ）で前記突起（３２）を捕捉するように配置され、
更に、前記弾性フック（２８）が、カップリング端部（３６）と、前記上下組立方向（Ｙ−Ｙ）で前記突起（３２）のアンダーカット（４４）にスナップフックされるように前記カップリング端部（３６）との関係で可撓性を有するフック端部（４０）を有していることを特徴とするシート（４）。
【請求項２】
前記突起（３２）が前記フレーム（８）に固定され、前記弾性フック（２８）が前記フレーム（８）に直接面している前記シート部（１２）の下部（４８）に固定されている、請求項１に記載のシート。
【請求項３】
前記弾性フック（２８）が、前記突起（３２）とのスナップカップリングを促進させるために、前記突起（３２）に直接的に面した斜め上方に延びた片部（５２）を有している、請求項１又は２に記載のシート（４）。
【請求項４】
前記突起（３２）が、前記シート（４）の組立状態において、前記シート部（１２）の支持体を構成するように、前記弾性フック（２８）と反対側で、前記シート部（１２）の下部（４８）と相補的な形状に形成されている、請求項２又は３に記載のシート（４）。
【請求項５】
複数の前記第一のカップリング手段（２４）が、前記シート（４）のバックレスト（２０）寄りの前記シート（４）の後部（５６）に沿って整列配置されている、請求項１〜４の何れかに記載のシート（４）。
【請求項６】
前記第一のカップリング手段（２４）が、前記シート（４）の離間した少なくとも二つの部分に沿って配置されている、請求項１〜５の何れかに記載のシート（４）。
【請求項７】
前記弾性フック（２８）が前記シート部（１２）に取り付けられ、前記突起（３２）が前記フレーム（８）に取り付けられている、請求項１〜７の何れかに記載のシート（４）。
【請求項８】
前記弾性フック（２８）が、外部から見えないように前記シート部（１２）に形成された窪み部（６０）内に少なくとも部分的に収容され、前記窪み部（６０）が前記フレーム（８）に向かって開口している、請求項１〜７の何れかに記載のシート（４）。
【請求項９】
前記突起（３２）が、前記フレーム（８）に接続され、前記シート部（１２）に面するように前記フレーム（８）から突出している、請求項１〜８の何れかに記載のシート（４）。
【請求項１０】
前記フレーム（８）と前記シート部（１２）との間に配置されて前記第一のカップリング手段（２４）と離間位置した少なくとも一つの第二のカップリング手段（６８）を更に有し、該第二のカップリング手段（６８）が、ブラケット（７２）と、形状カップリングによってそれ自体前記ブラケット（７２）に固定可能な折り曲げ部（７６）を有している、請求項１〜９の何れかに記載のシート（４）。
【請求項１１】
前記第二のカップリング手段（６８）が、前記シート部（１２）の離れた部分（５６，５７，５８，５９）に配置されて、上下組立て方向（Ｙ−Ｙ）に直交する横方向回転軸線（Ｘ−Ｘ）に対して回転するタイプの形状カップリングを構成し、それ故、第二のカップリング手段（６８）の相対的カップリングに追従して、横方向回転軸線（Ｘ−Ｘ）を中心として前記フレーム（８）と前記シート部（１２）とを互いに回転させることにより、前記第一のカップリング手段（２４）のスナップカップリングを実現させることが可能な、請求項１０に記載のシート（４）。
【請求項１２】
前記第一のカップリング手段（２４）と前記第二のカップリング手段（６８）が、前記シート部（１２）の互いに対向する部分（５６，５７，５８，５９）に配置され、前記シートの組立状態において、前記シート部（１２）の前記部分（５６，５７，５８，５９）と前記横方向回転軸線（Ｘ−Ｘ）に対して直交する長さ方向（Ｚ−Ｚ）での両側軸拘束構造を構成している、請求項１０及び／又は１１に記載のシート（４）。
【請求項１３】
前記第一のカップリング手段（２４）と前記第二のカップリング手段（６８）とが、夫々、前記シート部（１２）の後部（５６）と前部（５７）、又は、夫々、前記シート部（１２）の前部（５７）と後部（５６）とに配置されている、請求項１０〜１２の何れかに記載のシート（４）。
【請求項１４】
前記横方向回転軸線（Ｘ−Ｘ）に対して平行な方向での前記シート部（１２）と前記フレーム（８）との並進を阻止することのできるブロッキング手段（８８）を有している、請求項１１〜１３の何れかに記載のシート（４）。
【請求項１５】
前記ブロッキング手段（８８）が、前記横方向回転軸線（Ｘ−Ｘ）の方向での前記シート部（１２）の前記フレーム（８）に対する固定を達成するように、対応の穴（９１）に嵌合されるペグ（９０）を含んでいる、請求項１４に記載のシート（４）。
【請求項１６】
前記ペグ（９０）が前記シート部（１２）の下部（４８）に形成され、前記穴（９１）が、前記シート部（１２）を支持するための、前記フレーム（８）の支持プレート（９３）に形成されている、請求項１５に記載のシート（４）。
【請求項１７】
前記折り曲げ部（７６）が前記シート部（１２）に取り付けられて、前記ブラケット（７２）を収容及び覆うことの可能な座部（９２）を同定することができるように前記フレーム（８）に向かって折り曲げられている、請求項１０〜１６の何れかに記載のシート（４）。
【請求項１８】
前記ブラケット（７２）が前記フレーム（８）に接続されて、前記シート部（１２）に面するように前記フレーム（８）から突出している、請求項１０〜１７の何れかに記載のシート（４）。
【発明の詳細な説明】
【技術分野】
【０００１】
本発明は、互いに別個に作られていて、その後に一体に組み立てられるフレームとシート部とを有する、例えば、チェアー，スツール等のシートに関するものである。
【背景技術】
【０００２】
シート部とフレームとを好ましくは異なった材料から個別に作成して、その後にシート部とフレームとを一体に組み立てることが当業界において知られている。シート部とフレームとの相互連結は、通常、フレームに形成された関連の孔に嵌め合わせるようにシート部に貫通させたリベット，ボルト又はネジによって実施される。
【０００３】
然しながら、そのような構造は、組立のために、リベッティングマシーンを用いること、又は、組立作業を行うのに及び上述したカップリング装置を用いて部品を接続するのに熟練したスタッフが、必要となるという不都合があった。
【０００４】
そのため、従来技術のシートは、最終製品が、既に組立てられて、使用できる状態にある、例えば、チェアー又はスツールとなるように、製造段階中に通常組立てられる。然しながら、そのプリアセンブルされた構造は、保管と搬送の双方において、取り扱いにくく、不便であるという欠点がある。
【０００５】
フレームとシート部との相補的な形状部分間の形状カップリングによって互いに連結させることの可能な二つの個別のフレームとシート部とから成るシート構造についても、同様に当業界において知られている。
【０００６】
然しながら、そのような形状カップリングは、経時的に安定且つ安全なカップリングを担保するものではなく、換言すると、摩耗と、不可避的な製造上の公差のために、シート部とフレームとの間に望ましくない不都合な遊びが屡々発生する。
【０００７】
更に、公知技術のカップリング手段は、シートの組立中に破損し易く、組立作業中及び／又は後に行われる分解作業中に、屡々、摩耗によってシートを利用価値のないものにさせてしまう。
【０００８】
シートの下部、従って、非常に目につかない部分でのシートの品質低下であっても、シートが例えば高価な材料の覆いが付けられている場合には許容することができない。更に、覆いが付けられたシートの場合には、カバーの摩擦や破損がカップリング装置を機能不全にさせてしまう。
【０００９】
本発明の目的は、従来技術に関連して上述したような不都合を解消するシートを提供することにある。そのような不都合及び制約は、請求項１に記載のシートによって解消される。
【００１０】
本発明によるシートのその他の実施形態については、従属項に記載されている。
【００１１】
本発明の更なる特徴及び利点については、本発明を何ら限定するものではない本発明の好ましい実施形態に関して添付図面を用いて行った下記記載を参照することにより更に容易に理解することができるであろう。
【図面の簡単な説明】
【００１２】
【図１】図１は、組み立てられた状態の、本発明の一実施形態に係るシートを示した斜視図である。
【図２】図２は、図１に示したシートの組立手順の一段階を示した一部断面側面図である。
【図３】図３は、図１に示したシートの組立手順の別の段階を示した一部断面側面図である。
【図４】図４は、図１に示したシートの組立手順の更に別の段階を示した一部断面側面図である。
【図５】図５は、図１に示したシートの組立手順の更に別の段階を示した一部断面側面図である。
【図６】図６は、図１に示したシートの組立手順の更に別の段階を示した一部断面側面図である。
【図７】図７は、図３中のＶＩＩで示した部分の拡大断面図である。
【図８】図８は、図４中のＶＩＩＩで示した部分の拡大断面図である。
【図９】図９は、図４中のＩＸで示した部分の拡大断面図である。
【図１０】図１０は、図５中のＸで示した部分の拡大断面図である。
【図１１】図１１は、図６中のＸＩで示した部分の拡大断面図である。
【図１２】図１２は、組立段階における、図１のシートの一姿勢を示した斜視図である。
【図１３】図１３は、組立段階における、図１のシートの別の姿勢を示した斜視図である。
【発明を実施するための形態】
【００１３】
本発明の後述する複数の実施形態に共通の要素又は要素の部品については、添付図面において、同じ参照符号で示されている。
【００１４】
添付図面を参照すると、参照符号４は、シートを示し、このシートは、例えば、チェアー，スツール，アームチェアー又はタブチェアー（ｔｕｂ  ｃｈａｉｒ）の如き如何なるタイプのものであってもよい。
【００１５】
従って、添付図面に図示されたチェアーの一例は、本発明を具体化させた一実施形態に過ぎないものであって、本発明を何ら限定するものではないと看做すべきである。
【００１６】
シート４は、関連のシート部１２を支えることが可能で且つ脚部の如き少なくとも一つの支持手段１６を備えたフレーム８を有している。
【００１７】
フレーム８は、好ましくは、金属から作られていて、チューブ状に形成されている。支持手段１６は、例えば、複数の脚部、キャスターを有する又は有していない複数のアームを備えた中央支柱、Ｃ字状に折り曲げられたチューブ状構造等の如何なるタイプのものであってもよい。
【００１８】
シート部１２は、様々な形状及び寸法に形成し、様々な材料から作れていてもよい。シート部１２は、着座者のための座面１８を有し、座面１８に対して略垂直になったバックレスト２０を備えていても備えていなくてもよい。
【００１９】
フレーム８とシート部１２は、互いに個別に作られていて、少なくとも一つの第一のカップリング手段２４を介在させることにより、互いに取外し自在に連結されている。
【００２０】
有益なことに、第一のカップリング手段２４は、互いにスナップカップリングを構成することのできる、少なくとも一つの弾性フック２８と突起３２とを有している。弾性フック２８は、座面１８に略直交する上下組立方向Ｙ−Ｙで突起３２を捕捉するように配置されている。
【００２１】
弾性フック２８は、カップリング端部３６と、上下組立方向Ｙ−Ｙにおいて突起３２のアンダーカット４４にスナップフックされるようにカップリング端部３６との関係で可撓性を有するフック端部４０を有している。
【００２２】
カップリング端部３６は、例えば、ネジ、クランプ又はスロットの付いた形状カップリングを介在させることにより適所に固定することができる。
【００２３】
本発明の一実施形態によれば、突起３２はフレーム８に固定され、弾性フック２８は、組立状態においてフレーム８に直接面するシート部１２の下部４８側においてシート部１２に固定されている。
【００２４】
本発明の一実施形態によれば、弾性フック２８は、突起３２に直接面しているフック端部４０に、突起３２とのスナップカップリングを促進させるための斜め上方へ延びた片部５２を備えている。
【００２５】
本発明の一実施形態によれば、フック端部４０はＶ字状に形成されていてもよく、その場合には、そのＶ字状の両側の一方が、突起３２とのスナップカップリングを促進させるための斜め上方へ延びた片部５２を構成している。
【００２６】
好ましくは、弾性フック２８はシート部１２に取り付けられ、突起３２はフレーム８に取り付けられている。
【００２７】
突起３２はフレーム８に接続されて、シート部１２に面するようにフレーム８から突き出ている。
【００２８】
本発明の一実施形態によれば、突起３２は、シート４の組立状態において、シート部１２の支持体を構成するように、弾性フック２８と反対側でシート部１２の下部４８に対して少なくとも部分的に相補的な形状に形成されている。
【００２９】
本発明の一実施形態によれば、シート４の同じ側又は部分に沿って好ましくは整列した、少なくとも二つの弾性フック２８と二つの突起３２とを有している。
【００３０】
本発明の一実施形態によれば、複数の第一のカップリング手段２４は、シート４のバックレスト２０の所の、シート４の後部５６に沿って整列配置されている。
【００３１】
第一のカップリング手段２４は、シート４の後部５６と反対側のシート４の前部５７、又は、シート４の前部５７及び後部５６に略直交する側部５８，５９に配置することもできる。
【００３２】
本発明の一実施形態によれば、複数の第一のカップリング手段２４は、シート４の少なくとも二つの離間した部分５６，５７、５８，５９に沿って配置されている。
【００３３】
本発明の一実施形態によれば、弾性フック２８は、外部から見えないように、シート部１２の下部４８に形成された窪み部６０内に少なくとも部分的に収容されている。この窪み部６０は、フレーム８に向かって開口している。
【００３４】
シート４は、第一のカップリング手段２４から離間し且つフレーム８とシート部１２との間に配置された少なくとも一つの第二のカップリング手段６８を有している。
【００３５】
有益なことに、第二のカップリング手段６８は、ブラケット７２と、形状カップリングによってそれ自体ブラケット７２に固定されることの可能な折り曲げ部７６を有している。
【００３６】
好ましくは、複数の第二のカップリング手段６８は、複数の第一のカップリング手段２４が配置されている側から離間配置され、好ましくは、第一のカップリング手段２４が配置されているシート部１２の部分５６，５７，５８，５９の反対側に配置されている。
【００３７】
第二のカップリング手段６８は、上下組立方向Ｙ−Ｙと直交する横方向の回転軸線Ｘ−Ｘに対して回転するタイプの形状カップリングを構成しているので、第二のカップリング手段６８の相対的なカップリングに追従して、フレーム８とシート部１２とを横方向の回転軸線Ｘ−Ｘを中心として相互に回転させることにより、第一のカップリング手段２４のスナップカップリングを実現することができる。
【００３８】
好ましくは、第一のカップリング手段２４と第二のカップリング手段６８は、互いに対向するシート部１２の前部５７側と後部５６側に配置されて、組立状態において、シート部１２の前部５７と後部５６及び横方向回転軸線Ｘ−Ｘに対して直交する長さ方向Ｚ−Ｚにおける両側軸拘束構造（ｂｉｌａｔｅｒａｌ  ａｘｉａｌ  ｃｏｎｓｔｒａｉｎｔ）を構成している。
【００３９】
本発明の一実施形態によれば、シート４は、横方向回転軸線Ｘ−Ｘに平行な方向でのシート部１２とフレーム８との並進を防止することの可能なブロッキング手段８８を有している。
【００４０】
例えば、このブロッキング手段８８は、横方向回転軸線Ｘ−Ｘに沿ったフレーム８とシート部１２との並進を阻止するためのストッパ又はラベット（ｒａｂｂｅｔ）を含んでいる。本発明の一実施形態によれば、ブロッキング手段８８は、横方向回転軸線Ｘ−Ｘの方向でのシート部１２のフレーム８に対する相対的なブロックを達成するように対応の穴９１内に嵌め合わされるペグ９０を含んでいる。例えば、ペグ９０はシート部１２の下部４８に形成され、穴９１はフレーム８の、シート部１２用の支持プレート９３に形成されている。ブロッキング手段８８は、シート部１２に対するフレーム８のセンタリング機能をも発揮する。
【００４１】
好ましくは、折り曲げ部７６はシート部１２に接続され、ブラケット７２を収容し且つ覆うことのできる座部９２が同定されるようにフレーム８の方向に向かって曲げられている。
【００４２】
ブラケット７２は、フレーム８に接合されて、シート部１２に面するようにフレーム８から突き出している。
【００４３】
ここで、本発明によるシートの組立方法について説明する。
【００４４】
具体的に説明すると、第一の工程は、シート部１２の折り曲げ部７６によって区画された座部９２内にブラケット７２を挿入させるようにシート部１２を傾けながら、第二のカップリング手段６８を接続することである（図３，４，７，８及び１２参照）。
【００４５】
次に、シート部１２をフレーム８に近づけるように回転させる。回転中のシート部１２に対するフレーム８のカップリングを担保する、折り曲げ部７６とブラケット７２との回転カップリング（ｒｏｔａｒｙ  ｃｏｕｐｌｉｎｇ）のために、シート部１２をフレーム８に近づける回転が実施される。
【００４６】
次に、弾性フック２８を突起３２に接触させる（図５及び図１０参照）。斜め上方に延びた片部５２が存在するために、突起３２のアンダーカット４４と係合するフック２８の弾発スナッピングが促進される（図６，１１及び１３参照）。
【００４７】
組立てに追従して、長さ方向Ｚ−Ｚの方向に沿った二つの方向での動きが、ブラケット７２に接続された折り曲げ部７６の存在によってシート部１２の前部５７において、及び、突起３２のバックレスト２０方向へのスライドをそのカップリング端部３６で阻止している弾性フック２８の存在によってシート部１２の後部５６において、阻止されるという点において、フレーム８とシート部１２との間で両側軸拘束構造が形成される。
【００４８】
シート４を分解するには、弾性フック２８を突起３２から外すように、例えばスクリュードライバーの先端でフック２８を弾発変形させて、シート部１２を上方へ回転させ、最終的に折り曲げ部７６をブラケット７２から取り外せば十分である。
【００４９】
上記した記述内容から理解することができるように、本発明によるシートは、従来技術に存在する上述した欠点を克服することを可能にさせる。
【００５０】
具体的には、本発明によるシートは、特に実用的であり、容易に組立て及び分解をすることができる。
【００５１】
カップリング／解放要素は、シート部及び存在する場合にはシートカバーに摩耗を生じさせることがない。
【００５２】
カップリング要素は、頑丈で、組立及び分解が繰り返し実施されたとしても壊れることがない。
【００５３】
カップリング要素は、寸法が小さく、シートの通常の使用状態においては目につかない。
【００５４】
カップリング要素の製造組立コストは非常に限定され、シートの全体的なコストに実質的な影響を及ぼすことはない。
【００５５】
本発明によれば、シートを実践的且つ便利な態様で保存し且つ搬送することを可能にさせる。
【００５６】
最終的に、シートを製造するのに用いられるマシーンの数と費やされる労力を減らすことができる。
【００５７】
特別な及び付随的な要請に応えるべく、本願の特許請求の範囲に記載された本発明の要旨を逸脱しない範囲内で、当業者は、本発明に係る上述したシートに対して様々な修正及び変更を加えることができる。
【図１】
2013531998.tif 000003
【図２】
2013531998.tif 000004
【図３】
2013531998.tif 000005
【図４】
2013531998.tif 000006
【図５】
2013531998.tif 000007
【図６】
2013531998.tif 000008
【図７】
2013531998.tif 000009
【図８】
2013531998.tif 000010
【図９】
2013531998.tif 000011
【図１０】
2013531998.tif 000012
【図１１】
2013531998.tif 000013
【図１２】
2013531998.tif 000014
【図１３】
2013531998.tif 000015
【国際調査報告】
2013531998.tif 000016
2013531998.tif 000017